(57)【要約】【課題】個装箱を、共通の製品を収納する部分と、仕向け等により異なる収納物を収納する部分の２つ以上の収納部位に分けて収納するようにし、異なる収納物を確認できるようにする。【解決手段】精密機器を収納する個装箱１０を２つ以上の収納部位に分け、各収納部位に収納箱を別々に収納する構造とし、個別品を収納した収納箱２０の外面にバーコードなど、収納物の仕様別マーキング２２を施し、そのマーキング２２に対応する窓１２を個装箱１０の壁の縁部から１０ｍｍ以上離した位置に設けた。【選択図】        図１
2004244084.tif 000002
【特許請求の範囲】
【請求項１】
精密機器を収納する個装箱を２つ以上の収納部位に分け、各収納部位に第１の収納箱と第２の収納箱を別々に収納する構造とし、第１、第２の収納箱の外面に一方又は両方の収納物の仕様別マーキングを施し、そのマーキングに対応する窓を個装箱壁に設けたことを特徴とする個装箱。
【請求項２】
前記マーキングはバーコードであることを特徴とする請求項１記載の個装箱。
【請求項３】
個装箱の前記窓の縁部が壁面縁部から距離が１０ｍｍ以上離れていることを特徴とする請求項１又は２記載の個装箱。
【請求項４】
精密機器を収納する個装箱を２つ以上の収納部位に分け、収納部位を分ける部材にマーキング部を設け、該マーキング部に対応する窓を個装箱壁に設けたことを特徴とする個装箱。
【請求項５】
前記マーキングはバーコードであることを特徴とする請求項４記載の個装箱。
【請求項６】
前記収納部位を分ける部材が仕切り板であることを特徴とする請求項４又は５記載の個装箱。
【請求項７】
個装箱の前記窓の縁部が壁面縁部から１０ｍｍ以上離れていることを特徴とする請求項４〜６の何れかに記載の個装箱。
【発明の詳細な説明】
【０００１】
【発明の属する技術分野】
本発明は、精密機器などを梱包収納する個装箱に関する。
【０００２】
【従来の技術】
例えばデジタルカメラ等の精密機器を梱包する場合、同梱物として特定の同梱物は共通で一部の同梱物が異なるという場合がある。例えば、カメラ本体、アクセサリーは共通で、取扱説明書が仕向けにより英国向けは英語の取扱説明書のみ、欧州向けは英、仏、独の取扱説明書、日本向けは日本語の取扱説明書のみを同梱するというような場合である。このような場合、各々の仕向けに対し、各々の個装箱を準備したり、仕向けが異なるたびに仕向けが判別できるラベルを個装箱に貼り付けていた。
【０００３】
ところで、上記のように一部の同梱物が異なる場合、個々に個装箱を準備したり、各々仕向け別シールの準備が必要となる。また、製品生産（販売）計画が変わり、他の仕向けに転用しようとする場合、例えば、欧州モデルを北米モデルに転用するような場合、各々その個装箱を廃棄し、新たに個装箱、仕向けラベルを準備する必要があった。仕向けが決定していないが、本体等共用部は予め生産して保管しておく場合など、仕向け別の生産振り分けがない場合も同様である。
【０００４】
２つの化粧箱に収納したヘッドホンステレオなどの電気製品が入っている第１の化粧箱と、付属品や取扱説明書を収納した第２の化粧箱とを１つの梱包箱内に収納したものがある。この技術は第２の化粧箱が第１の化粧箱より小さいのでその位置規制を上蓋の切り抜き孔から第２の空間の内部に挿入され、第１の化粧箱に当接している仕切り部によって行うようにしたものである。この技術では発泡スチロールなどを用いる必要がないので、原価低減が可能で環境的にも有利であるとしている（例えば、特許文献１参照。）。
【０００５】
また、例えばテレビの梱包では取扱説明書などはテレビと段ボール箱との間に収容するので隙間内の奥深くに入ってしまい、収容したか否かが分かりにくく、２つ以上入れてしまうことがありうるし、入れ忘れてしまうこともあるので、これを防止するため、取扱説明書の周面にバーコードを印刷するとともに、この取扱説明書を丸めて緩衝部材の第三の凹部に挿入し、ほどけようとする力で周面に密着して抜け落ちないようにし、バーコードを上面より視認可能な位置に保持する技術がある。この技術では同梱包箱体の上面に形成した小穴よりバーコードを視認することが可能となる。梱包作業現場でバーコードリーダを利用してバーコードの情報を読み取り、適切な作業指示を与えることができるとされている（例えば、特許文献２参照。）。
【０００６】
【特許文献１】
実開平７−４３９０号公報（第６〜８頁、図２）
【特許文献２】
特開平１０−２６４９６８号公報（第２〜４頁、図２）
【０００７】
【発明が解決しようとする課題】
本発明は、これらの技術にさらに改善を加え、附属品を２つ以上の収納部位に分けて収納するような構造とし、仕様が異なる収納物を確認できるようにすると共に、窓に表示される表示がバーコード等である技術を提供することを目的とするものである。
【０００８】
【課題を解決するための手段】
本発明は、上記問題点を解決するためになされたもので、本発明の第１の発明は精密機器を収納する個装箱を２つ以上の収納部位に分け、各収納部位に第１の収納箱と第２の収納箱を別々に収納する構造とし、第１、第２の収納箱の外面にそれぞれ収納物の仕様別マーキングを施し、そのマーキングに対応する窓を個装箱壁に設けたことを特徴とする個装箱である。この場合、前記マーキングはバーコードであるとバーコードリーダーで読み取ることができるので好適であり、また、個装箱の前記窓の縁部が壁面縁部から１０ｍｍ以上離れていると孔の縁の強度が大となり、この部分の破損を防止することができるので好ましい。
【０００９】
本発明において同梱物で共通でないものを収納する箱等に判別のためのマーキングを行い、そのマーキング部を個装箱に設けた窓（穴）をとおして検知することにより、内容物の違いを認識することができる。
【００１０】
次に本発明の第２の発明は、精密機器を収納する個装箱を２つ以上の収納部位に分け、収納部位を分ける部材にマーキング部を設け、該マーキング部に対応する窓を個装箱壁に設けたことを特徴とする個装箱である。この場合、前記マーキングはバーコードであると好ましい。また、前記収納部位を分ける部材は箱や容器であってもよく、仕切り板であってもよい。この場合も、個装箱の前記窓の縁部から壁面の縁部まで１０ｍｍ以上離れていると窓の強度上好ましい。
【００１１】
本発明のマーキングを設けることによって、製品を箱内に組込む前の工場での仕向け管理が容易になるという別の効果もある。また、上箱にマーキング部を設け、このマーキング部を上箱取出し用のつまみ片とすれば上箱の取り出しが容易となり、また強度の観点から望ましい。仕切り板に仕向けの記載があったり、外箱に窓があり仕向けの記載が見えると、便利なことが多く、工程管理にも大きく貢献する。仕切り板にマーキング部を設けた構造とすると、このマーキング部は仕切り板の強度補強に寄与するので好ましい。マーキングにはバーコードを含む。
【００１２】
【発明の実施の形態】
以下図面を参照して本発明の実施の形態を説明する。
【００１３】
図１は本発明の第１の発明の実施例を示す斜視図である。図１（ｂ）は個装箱１０の外形を示すもので、図ではほぼ立方形をなしている。内部は上下２つの収納部１５、１６に分けられ、その上部の収納部１５に収納される収納箱２０が図１（ａ）に示されている。この収納箱２０はその上面２１にマーキング２２が施されている。マーキング２２は収納箱２０に収納されている収納物の仕様を示すものである。
【００１４】
個装箱１０内の収納部１６に既に収納されている図示省略した収納箱は、製品本体を収納するもので、この梱包のすべての個装箱１０に共通のものであり、個別の収納箱２０に収納されるものは例えば仕向けごとに異なるものである。例をあげると、仕向け先の言語で書かれた取扱説明書などであり、仕向けごとに異なるものである。このような収納物の仕様を示すマーキング２２としては、文字や記号でもよいがバーコードを用いると、バーコードリーダーで読むことができ、管理上好適である。
【００１５】
マーキング２２を付した収納箱２０が個装箱１０内に装入される。個装箱１０には上面１１に窓１２が設けられている。この窓１２はマーキング２２に対応する位置に設けられ、窓１２を通してマーキング２２を目視することができる。この窓１２は上面１１の周縁から１０ｍｍ以上離れた位置に窓の縁部があるように定める。これは窓の強度を保つためである。
【００１６】
図２は、別の実施例を示すもので、図２（ｂ）に示す個装箱１０は２つ以上の収納部に分けられており、各収納部にそれぞれ収納箱２０、３０を収納する。共通の機器を収納する収納箱３０はマーキング等を要しない。仕向けによって内容が変る収納箱２０には上面２１にマーキング２２が施されており、このマーキング２２に対応する個装箱１０の上面１１に窓１２が設けられている。マーキング２２の種類や窓１２の位置決めについては、既に図１について説明したが、それと同様である。
【００１７】
図３は、本発明の第２の発明の実施例を示す斜視図で、図３（ｂ）に収納部位を２つに分けた個装箱１０の外形を示し、図３（ａ）に収納部位を分ける部材４０を示している。この部材４０は側面４１からマーキング部４２を垂下しており、このマーキング部４２にマーキングを施してある。図３（ｂ）に示す個装箱１０は側面１３に窓１４を設けている。この窓１４の位置は部材４０の側面４１から垂下したマーキング部４２に付したマーキングと対応している。
【００１８】
図４は、図４（ｂ）に示す個装箱１０内の下部に共通製品１７を収納し、その上に部材４０として図４（ａ）に示す仕切板を用いた例を示したものである。部材４０の折曲げフラップ４３の一部にマーキング部４４を設け、このマーキング部４４にマーキングを施し、この仕切板を図４（ｂ）の個装箱１０内に収納する。このとき、窓１４とマーキング部４４のマーキングとが一致するようになっている。
【００１９】
図５は、図５（ｂ）に示す個装箱１０に対して、図５（ａ）に示す部材４０が部分的な仕切板であって小さい場合を示している。この場合もフラップ４５にマーキング部４６を設け、このマーキング部４６に対応する位置の個装箱１０の側面１３に窓１４が設けられている。
【００２０】
図３〜図５に示す例では、マーキング部４２、４４、４６が垂下したものを示しているが、これを上側に設けることとしてもよく、収納箱や仕切板などを取り出す際、上側に設けたマーキング部４２、４４、４６をつまみ片とし、これをつかんで取り出すことにより収納箱や仕切板などの取り出しが容易となる。
【００２１】
【発明の効果】
本発明によれば、収納物が異なる収納部に仕様別マークを設けることにより、仕向け別に個装箱を準備したり、仕向けラベルを準備する必要がなくなり、個装箱の共用化、仕向けラベルの削除を図ることができ、梱包のコストを低減することができる。また、製品の生産計画の変更が生じた場合、収納箱又は仕切り板とその収納物のみを変更することにより、変更に対して迅速に対処することができる。
【図面の簡単な説明】
【図１】実施例の斜視図である。
【図２】実施例の斜視図である。
【図３】実施例の斜視図である。
【図４】実施例の斜視図である。
【図５】実施例の斜視図である。
【符号の説明】
１０    個装箱
１１    上面
１２    窓
１３    側面
１４    窓
１５、１６    収納部
１７    共通製品
２０    収納箱
２１    上面
２２    マーキング
３０    収納箱
４０    部材
４１    側面
４２、４４、４６    マーキング部
４３、４５    フラップ
【図１】
2004244084.tif 000003
【図２】
2004244084.tif 000004
【図３】
2004244084.tif 000005
【図４】
2004244084.tif 000006
【図５】
2004244084.tif 000007